(57)【特許請求の範囲】
【請求項１】
複数の鍵と、
前記鍵の配列に対応して、当該鍵の前後方向の成分を有して突出する複数の突出領域を有するフレームと、
前記複数の鍵を前記フレームに対して回動可能に接続する接続部であって、当該複数の鍵の一部を前記突出領域に接続する接続部と、
前記突出領域に対して、前記鍵とは反対側に配置されたスピーカと、
を備え、
前記接続部は、前記フレームから上方に延在する柱状部材を備え、
前記突出領域に接続される接続部の前記柱状部材と、前記突出領域以外の領域に接続される接続部の前記柱状部材との間は、塞がれていない、鍵盤装置。
【請求項２】
前記鍵は、白鍵および黒鍵により構成され、
前記鍵の一部は、前記黒鍵であることを特徴とする請求項１に記載の鍵盤装置。
【請求項３】
前記柱状部材は、可撓性を有することを特徴とする請求項１に記載の鍵盤装置。
【請求項４】
前記接続部は、軸部材および軸受部材によって前記鍵を回動可能とし、
前記柱状部材は、前記軸部材または前記軸受部材を支持する部材であることを特徴とする請求項１に記載の鍵盤装置。
【請求項５】
前記突出領域は、前記鍵の前後方向に沿って突出していることを特徴とする請求項１乃至請求項４のいずれかに記載の鍵盤装置。
【請求項６】
前記フレームは、前記突出領域に対して前記鍵の前方側において、前記鍵の一部以外の鍵に対応する前記接続部が前記フレームに接続する部分に隣接して配置された開口部を有することを特徴とする請求項１乃至請求項５のいずれかに記載の鍵盤装置。
【請求項７】
複数の鍵と、
前記鍵の配列に対応して、当該鍵の前後方向の成分を有して突出する複数の突出領域を有するフレームと、
前記複数の鍵を前記フレームに対して回動可能に接続する接続部であって、当該複数の鍵の一部を前記突出領域に接続する接続部と、
前記突出領域に対して、前記鍵とは反対側に配置されたスピーカと、
を備え、
前記フレームは、前記突出領域に対して前記鍵の前方側において、前記鍵の一部以外の鍵に対応する前記接続部が前記フレームに接続する部分に隣接して配置された開口部を有する、鍵盤装置。
【請求項８】
前記鍵に対する操作を検出するセンサと、
前記センサの出力信号に応じて音波形信号を生成する音源部をさらに備え、
前記スピーカは、生成された前記音波形信号を外部の空間に出力することを特徴とする請求項１乃至請求項７のいずれかに記載の鍵盤装置。
【発明の詳細な説明】
【技術分野】
【０００１】
本発明は、鍵盤装置に関する。
【背景技術】
【０００２】
電子鍵盤楽器は、鍵の操作に応じて音源から音波形信号を生成して出力する。この音波形信号は、スピーカから空間に出力される。電子鍵盤楽器に用いられる鍵は、特許文献１に開示されるような樹脂材料によって形成される。このようにして形成された複数の鍵が配列されると、フレーム、ヒンジ等によって壁状の構造体が形成される。このような壁状の構造体は鍵後端側の空間と鍵下方側の空間とを隔てる。
【先行技術文献】
【特許文献】
【０００３】
【特許文献１】特開２００８−３２０９号公報
【発明の概要】
【発明が解決しようとする課題】
【０００４】
電子鍵盤楽器におけるスピーカからの音は、所定の経路を通って楽器外に放出される。一方、臨場感など演奏者に対する感覚をより向上するため、隣接する鍵の間から音が放出されるようにすることが望まれている。筐体の構造によるが、一般的にこのようなスピーカは鍵後端側に配置されることが多い。そのため、スピーカからの音を鍵下方側の空間まで導入しなくてはならない。上述した壁状の構造体は、鍵後端側の空間と鍵下方側の空間とを分離してスピーカからの音の経路を制限する。そのため、スピーカからの音は、鍵下方側の空間には到達しにくい。
【０００５】
本発明の目的の一つは、スピーカが配置される鍵後端側の空間と鍵下方側の空間とを接続することにある。
【課題を解決するための手段】
【０００６】
本発明の実施形態によると、複数の鍵と、前記鍵の配列に対応して、当該鍵の前後方向の成分を有して突出する複数の突出領域を有するフレームと、前記複数の鍵を前記フレームに対して回動可能に接続する接続部であって、当該複数の鍵の一部を前記突出領域に接続する接続部と、前記突出領域に対して、前記鍵とは反対側に配置されたスピーカと、を備える鍵盤装置が提供される。
【０００７】
前記鍵は、白鍵および黒鍵により構成され、前記鍵の一部は、前記黒鍵であってもよい。
【０００８】
前記接続部は、前記フレームから上方に延在する柱状部材を備え、前記突出領域に接続される接続部の前記柱状部材と、前記突出領域以外の領域に接続される接続部の前記柱状部材との間は、塞がれていなくてもよい。
【０００９】
前記柱状部材は、可撓性を有してもよい。
【００１０】
前記接続部は、軸部材および軸受部材によって前記鍵を回動可能とし、前記柱状部材は、前記軸部材または前記軸受部材を支持する部材であってもよい。
【００１１】
前記突出領域は、前記鍵の前後方向に沿って突出していてもよい。
【００１２】
前記フレームは、前記突出領域に対して前記鍵の前方側において、前記鍵の一部以外の鍵に対応する前記接続部が前記フレームに接続する部分に隣接して配置された開口部を有してもよい。
【００１３】
前記鍵に対する操作を検出するセンサと、前記センサの出力信号に応じて音波形信号を生成する音源部をさらに備え、前記スピーカは、生成された前記音波形信号を外部の空間に出力してもよい。
【発明の効果】
【００１４】
本発明によれば、スピーカが配置される鍵後端側の空間と鍵下方側の空間とを接続することができる。
【図面の簡単な説明】
【００１５】
【図１】第１実施形態における鍵盤装置の構成を示す図である。
【図２】第１実施形態における音源装置の構成を示すブロック図である。
【図３】第１実施形態における筐体内部の構成を側面から見た場合の説明図である。
【図４】第１実施形態における鍵盤アセンブリを上面から見た場合の説明図である。
【図５】第１実施形態におけるフレームを奥側から見た場合の説明図である。
【図６】第１実施形態におけるフレームのうち棒状可撓性部材が接続される部分を上面から見た場合の説明図である。
【図７】第１実施形態における白鍵の詳細の構造を説明する図である。
【図８】第１実施形態における黒鍵の構造を白鍵の構造と比較して説明する図である。
【図９】第１実施形態における鍵（白鍵）を押下したときの鍵アセンブリの動作を説明する図である。
【図１０】第１実施形態におけるフレーム側支持部の構造と音の経路との関係を模式的に説明する図である。
【図１１】第２実施形態におけるフレーム側支持部の構造と音の経路との関係を模式的に説明する図である。
【図１２】第３実施形態におけるフレーム側支持部の構造と音の経路との関係を模式的に説明する図である。
【図１３】第３実施形態における接続部の構造を説明する図である。
【図１４】第４実施形態におけるフレーム側支持部の構造と音の経路との関係を模式的に説明する図である。
【図１５】第４実施形態における接続部の構造を説明する図である。
【発明を実施するための形態】
【００１６】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００１７】
＜第１実施形態＞
［鍵盤装置の構成］
図１は、第１実施形態における鍵盤装置の構成を示す図である。鍵盤装置１は、この例では、電子ピアノなどユーザ（演奏者）の押鍵に応じて発音する電子鍵盤楽器である。なお、鍵盤装置１は、外部の音源装置を制御するための制御データ（例えば、ＭＩＤＩ）を、押鍵に応じて出力する鍵盤型のコントローラであってもよい。この場合には、鍵盤装置１は、音源装置を有していなくてもよい。
【００１８】
鍵盤装置１は、鍵盤アセンブリ１０を備える。鍵盤アセンブリ１０は、白鍵１００ｗおよび黒鍵１００ｂを含む。複数の白鍵１００ｗと黒鍵１００ｂとが並んで配列されている。鍵１００の数は、Ｎ個であり、この例では８８個である。この配列された方向をスケール方向という。白鍵１００ｗおよび黒鍵１００ｂを特に区別せずに説明できる場合には、鍵１００という場合がある。以下の説明においても、符号の最後に「ｗ」を付した場合には、白鍵に対応する構成であることを意味している。また、符号の最後に「ｂ」を付した場合には、黒鍵に対応する構成であることを意味している。
【００１９】
鍵盤アセンブリ１０の一部は、筐体９０の内部に存在している。鍵盤装置１を上方から見た場合において、鍵盤アセンブリ１０のうち筐体９０に覆われている部分を非外観部ＮＶといい、筐体９０から露出してユーザから視認できる部分を外観部ＰＶという。すなわち、外観部ＰＶは、鍵１００の一部であって、ユーザによって演奏操作が可能な領域を示す。以下、鍵１００のうち外観部ＰＶによって露出されている部分を鍵本体部という場合がある。
【００２０】
筐体９０内部には、音源装置７０およびスピーカ８０が配置されている。音源装置７０は、鍵１００の押下に伴って音波形信号を生成する。スピーカ８０は、音源装置７０において生成された音波形信号を外部の空間に出力する。なお、鍵盤装置１は、音量をコントロールするためのスライダ、音色を切り替えるためのスイッチ、様々な情報を表示するディスプレイなどが備えられていてもよい。
【００２１】
なお、本明細書における説明において、上、下、左、右、手前および奥などの方向は、演奏するときの演奏者から鍵盤装置１を見た場合の方向を示している。そのため、例えば、非外観部ＮＶは、外観部ＰＶよりも奥側に位置している、と表現することができる。また、鍵前端側（鍵前方側）、鍵後端側（鍵後方側）のように、鍵１００を基準として方向を示す場合もある。この場合、鍵前端側は鍵１００に対して演奏者から見た手前側を示す。鍵後端側は鍵１００に対して演奏者から見た奥側を示す。この定義によれば、黒鍵１００ｂのうち、黒鍵１００ｂの鍵本体部の前端から後端までが、白鍵１００ｗよりも上方に突出した部分である、と表現することができる。
【００２２】
図２は、第１実施形態における音源装置の構成を示すブロック図である。音源装置７０は、信号変換部７１０、音源部７３０および出力部７５０を備える。センサ３００は、各鍵１００に対応して設けられ、鍵の操作を検出し、検出した内容に応じた信号を出力する。この例では、センサ３００は、３段階の押鍵量に応じて信号を出力する。この信号の間隔に応じて押鍵速度が検出可能である。
【００２３】
信号変換部７１０は、センサ３００（８８の鍵１００に対応したセンサ３００−１、３００−２、・・・、３００−８８）の出力信号を取得し、各鍵１００における操作状態に応じた操作信号を生成して出力する。この例では、操作信号はＭＩＤＩ形式の信号である。そのため、押鍵操作に応じて、信号変換部７１０はノートオンを出力する。このとき、８８個の鍵１００のいずれが操作されたかを示すキーナンバ、および押鍵速度に対応するベロシティについてもノートオンに対応付けて出力される。一方、離鍵操作に応じて、信号変換部７１０はキーナンバとノートオフとを対応付けて出力する。信号変換部７１０には、ペダル等の他の操作に応じた信号が入力され、操作信号に反映されてもよい。
【００２４】
音源部７３０は、信号変換部７１０から出力された操作信号に基づいて、音波形信号を生成する。出力部７５０は、音源部７３０によって生成された音波形信号を出力する。この音波形信号は、例えば、スピーカ８０または音波形信号出力端子などに出力される。
【００２５】
［鍵盤アセンブリの構成］
図３は、第１実施形態における筐体内部の構成を側面から見た場合の説明図である。図３に示すように、筐体９０の内部において、鍵盤アセンブリ１０およびスピーカ８０が配置されている。スピーカ８０は、鍵盤アセンブリ１０の奥側に配置されている。このスピーカ８０は、押鍵に応じた音を筐体９０の上方および下方に向けて出力するように配置されている。下方に出力される音は、筐体９０の下面側から外部に進む。一方、上方に出力される音は筐体９０の内部から鍵盤アセンブリ１０の内部の空間を通過して、外観部ＰＶにおける鍵１００の隣接間の隙間または鍵１００と筐体９０との隙間から外部に進む。なお、鍵盤アセンブリ１０の内部の空間、すなわち鍵１００（鍵本体部）の下方側の空間に到達する、スピーカ８０からの音の経路は、経路ＳＲとして例示されている。
【００２６】
鍵盤アセンブリ１０の構成について、図３を用いて説明する。鍵盤アセンブリ１０は、上述した鍵１００の他にも、接続部１８０、ハンマアセンブリ２００およびフレーム５００を含む。鍵盤アセンブリ１０は、ほとんどの構成が射出成形などによって製造された樹脂製の構造体である。フレーム５００は、筐体９０に固定されている。接続部１８０は、フレーム５００に対して回動可能に鍵１００を接続する。接続部１８０は、板状可撓性部材１８１、鍵側支持部１８３および棒状可撓性部材１８５を備える。板状可撓性部材１８１は、鍵１００の後端から延在している。鍵側支持部１８３は、板状可撓性部材１８１の後端から延在している。棒状可撓性部材１８５が、鍵側支持部１８３およびフレーム５００のフレーム側支持部５８５によって支持されている。すなわち、鍵１００とフレーム５００との間に、棒状可撓性部材１８５が配置されている。棒状可撓性部材１８５が曲がることによって、鍵１００がフレーム５００に対して回動することができる。棒状可撓性部材１８５は、鍵側支持部１８３とフレーム側支持部５８５とに対して、着脱可能に構成されている。なお、棒状可撓性部材１８５は、鍵側支持部１８３とフレーム側支持部５８５と一体となって、または接着等により、着脱できない構成であってもよい。
【００２７】
鍵１００は、前端鍵ガイド１５１および側面鍵ガイド１５３を備える。前端鍵ガイド１５１は、フレーム５００の前端フレームガイド５１１を覆った状態で摺動可能に接触している。前端鍵ガイド１５１は、その上部と下部のスケール方向の両側において、前端フレームガイド５１１と接触している。側面鍵ガイド１５３は、スケール方向の両側において側面フレームガイド５１３と摺動可能に接触している。この例では、側面鍵ガイド１５３は、鍵１００の側面のうち非外観部ＮＶに対応する領域に配置され、接続部１８０（板状可撓性部材１８１）よりも鍵前端側に存在するが、外観部ＰＶに対応する領域に配置されてもよい。
【００２８】
ハンマアセンブリ２００は、鍵１００の下方側の空間に配置され、フレーム５００に対して回動可能に取り付けられている。このときハンマアセンブリ２００の軸支持部２２０とフレーム５００の回動軸５２０とは少なくとも３点で摺動可能に接触する。ハンマアセンブリ２００の前端部２１０は、ハンマ支持部１２０の内部空間において概ね前後方向に摺動可能に接触する。この摺動部分、すなわち前端部２１０とハンマ支持部１２０とが接触する部分は、外観部ＰＶ（鍵本体部の後端よりも前方）における鍵１００の下方に位置する。
【００２９】
ハンマアセンブリ２００は、回動軸よりも奥側において、金属製の錘部２３０が配置されている。通常時（押鍵していないとき）には、錘部２３０が下側ストッパ４１０に載置された状態であり、ハンマアセンブリ２００の前端部２１０が、鍵１００を押し戻している。押鍵されると、錘部２３０が上方に移動し、上側ストッパ４３０に衝突する。ハンマアセンブリ２００は、この錘部２３０によって、押鍵に対して加重を与える。下側ストッパ４１０および上側ストッパ４３０は、緩衝材等（不織布、弾性体等）で形成されている。
【００３０】
ハンマ支持部１２０および前端部２１０の下方には、フレーム５００にセンサ３００が取り付けられている。押鍵により前端部２１０の下面側でセンサ３００が押しつぶされると、センサ３００は検出信号を出力する。センサ３００は、上述したように、各鍵１００に対応して設けられている。
【００３１】
図４は、第１実施形態における鍵盤アセンブリを上面から見た場合の説明図である。図５は、第１実施形態におけるフレームを奥側から見た場合（図４に示すＡＲ５方向）の説明図である。図６は、第１実施形態におけるフレームのうち棒状可撓性部材が接続される部分を上面から見た場合の説明図である。なお、これらの図においては、鍵１００の下方に位置するハンマアセンブリ２００およびフレーム５００の構成は、その一部を省略して記載している。具体的には、接続部１８０近傍のフレーム５００の構成（フレーム側支持部５８５など）を記載し、手前側の構成等の一部については記載を省略している。他の説明においても、図示の際に一部の記載を省略することがある。
【００３２】
図４に示すように、鍵側支持部１８３ｂは、鍵側支持部１８３ｗよりも奥側に配置される。この位置は、鍵１００の回動中心となる棒状可撓性部材１８５の位置に関連する。このような配置にすることによって、アコースティックピアノの白鍵と黒鍵の回動中心の違いを再現している。この例では、黒鍵に対応する板状可撓性部材１８１ｂが、白鍵に対応する板状可撓性部材１８１ｗよりも長い。このような配置に対応して、フレーム５００のフレーム側支持部５８５ｂは、フレーム側支持部５８５ｗよりも奥側に配置される。そのため、フレーム５００の奥側（フレーム側支持部５８５）の形状は、図６に示すようにフレーム側支持部５８５ｂがフレーム側支持部５８５ｗよりも鍵１００の前後方向ＫＢに沿って突出した形状となる。言い換えれば、フレーム５００は、奥側において、鍵前後方向ＫＢに沿って突出した突出領域（フレーム側支持部５８５ｂ）を有している。
【００３３】
図５に示すように、棒状可撓性部材１８５ｂ、１８５ｗの間には大きな空間が存在する。スピーカ８０から出力された音は、鍵盤アセンブリ１０の外部から、この空間を通過して内部に到達し、隣接する鍵１００の隙間から鍵盤装置１の外部に放出される。外観部ＰＶから音が外部に放出されるまでの間の経路において、棒状可撓性部材１８５の存在により、フレーム５００（フレーム側支持部５８５）と接続部１８０（鍵側支持部１８３）との間に音の通過を遮蔽する要素が少ないため、音の減衰量を抑えることもできる。すなわち、隣接する棒状可撓性部材１８５の間には、音通路ＡＰ１、ＡＰ２が配置されている。また、図６に示すように、フレーム側支持部５８５ｂがフレーム側支持部５８５ｗより突出した形状であることにより、フレーム側支持部５８５ｗが隣接する部分の音通路ＡＰ１よりも、フレーム側支持部５８５ｗと５８５ｂとが隣接する部分の音通路ＡＰ２の幅が広くなる。さらに、図６に示すように、フレーム側支持部５８５ｂの手前側（鍵１００の前方側）において、フレーム側支持部５８５ｗのスケール方向に隣接した位置に、開口部５８６が配置されていてもよい。この場合、この開口部５８６も音通路になり得る。
【００３４】
支柱５９０は、筐体９０と接続し、筐体９０に対するフレーム５００の位置を固定するための部材である。支柱５９０は、非外観部ＮＶにおける白鍵１００ｗが隣接する部分の間、すなわち「Ｅ」の白鍵１００ｗと「Ｆ」の白鍵１００ｗとの間、および「Ｂ」の白鍵１００ｗと「Ｃ」の白鍵１００ｗとの間に設けられている。
【００３５】
［白鍵の構造］
図７は、第１実施形態における白鍵の詳細の構造を説明する図である。図７（Ａ）は、白鍵１００ｗを上面から見た図である。図７（Ｂ）は、白鍵１００ｗを側面（左側）から見た図である。図７（Ｃ）は、接続部１８０を奥側から見た図である。図７（Ｄ）は、白鍵１００ｗを手前側から見た図である。
【００３６】
まず、以下の説明で用いる方向（スケール方向Ｓ、ローリング方向Ｒ、ヨーイング方向Ｙ、上下方向Ｖ）について定義する。スライド方向Ｓは、上述したように、鍵１００が配列する方向（演奏者から見た左右方向）に対応する。ローリング方向Ｒは、鍵１００の延びる方向（演奏者から見た手前から奥側方向）を軸として回転する方向に対応する。ヨーイング方向Ｙは、鍵１００を上方から見たときに左右方向に曲がる方向である。スケール方向Ｓとヨーイング方向Ｙとの違いは大きくはないが、鍵１００のスケール方向Ｓの移動は平行移動の意味であるのに対し、鍵１００のヨーイング方向Ｙの移動はスケール方向Ｓに曲がる（反る）ことに相当する。上下方向Ｖは、棒状可撓性部材１８５が延びる方向（演奏者から見た上下方向）に対応し、ヨーイング方向Ｙの曲がりの軸になる方向ともいえる。
【００３７】
鍵１００には、前端鍵ガイド１５１および側面鍵ガイド１５３が備えられている。前端鍵ガイド１５１は、上述したように、その上部と下部とにおいてフレーム５００の前端フレームガイド５１１と接触する。そのため、前端鍵ガイド１５１は、実際には上部鍵ガイド１５１ｕおよび下部鍵ガイド１５１ｄに分かれている。このように、前端鍵ガイド１５１（上部鍵ガイド１５１ｕ、下部鍵ガイド１５１ｄ）および側面鍵ガイド１５３は、スケール方向Ｓに鍵１００を見た場合において、直線上に並ばない３箇所で鍵１００の移動を規制している。このように配置された少なくとも３箇所のガイドによれば、スケール方向Ｓ、ヨーイング方向Ｙおよびローリング方向Ｒについて鍵１００の移動を規制する。なお、この例では、側面鍵ガイド１５３は、突出部１５３１、１５３３により形成される溝１５３５を側面フレームガイドが摺動することによって、鍵１００の前後方向の移動も規制している。ガイドの数は３箇所以上であってもよい。この場合には、全てのガイドが直線上に並ばない要件を満たす必要が無く、少なくとも３箇所のガイドがこの要件を満たせばよい。
【００３８】
板状可撓性部材１８１は、可撓性を有する板状の部材である。板状可撓性部材１８１は、板面の法線方向Ｎがスケール方向Ｓに向かうように配置されている。これによって、板状可撓性部材１８１は、曲がったり捻れたりすることで、ローリング方向Ｒおよびヨーイング方向Ｙへの変形が可能である。すなわち、板状可撓性部材１８１は、その可撓性によって、鍵１００のローリング方向Ｒおよびヨーイング方向Ｙに自由度を有する。ヨーイング方向Ｙの変形を組み合わせることによって、板状可撓性部材１８１はスケール方向Ｓについても自由度を有しているともいえる。一方、板状可撓性部材１８１は、上下方向にはほとんど変形しない。なお、法線方向Ｎは、スケール方向Ｓと完全に一致していなくてもよく、スケール方向Ｓの成分を有していればよい。一致しない場合には、法線方向Ｎとスケール方向Ｓとのなす角は、小さいほど好ましい。
【００３９】
棒状可撓性部材１８５は、可撓性を有する棒状の部材である。棒状可撓性部材１８５は、曲がったり捻れたりすることで、ローリング方向Ｒおよびヨーイング方向Ｙへの変形が可能である。すなわち、棒状可撓性部材１８５は、その可撓性によって、鍵１００のローリング方向Ｒおよびヨーイング方向Ｙに自由度を有する。ローリング方向Ｒの変形を組み合わせることによって、棒状可撓性部材１８５はスケール方向Ｓについても自由度を有しているともいえる。一方、棒状可撓性部材１８５は、上下方向にはほとんど変形しない。なお、棒状可撓性部材１８５は、その形状的な特性から、板状可撓性部材１８１よりも捻れることができる量が大きい。
【００４０】
棒状可撓性部材１８５の断面形状（棒状の長手方向に垂直な断面）は、曲線と直線との組み合わせで囲まれた形状であり、この例では、半円形状である。半円形状において、直線部分は奥側であり、曲線部分は手前側であるが、逆方向であってもよい。なお、棒状可撓性部材１８５の断面形状は、曲線のみで囲まれた形状（例えば円形状）であってもよいし、直線のみで囲まれた形状（例えば矩形状）であってもよい。すなわち、棒状可撓性部材１８５は、長手方向（上下方向）以外の方向（３次元を規定する３方向のうち２方向）への曲げ変形が可能であり、かつ、長手方向を軸とした捻れ変形が可能であれば、断面形状はどのような形状であってもよい。棒状可撓性部材１８５は、錐形状など、太さが長手方向に沿って変化するものであってもよい。なお、棒状可撓性部材１８５は、フレーム５００から上方に延在する柱状部材の一例である。
【００４１】
このように、接続部１８０は、側面鍵ガイド１５３よりも鍵後方（奥側）において、押鍵という強い力に対して上下方向の変位がほとんど生じない（回動中心の上下方向の移動がほとんど生じない）ようにしつつ鍵１００をフレーム５００に対してピッチ方向（通常の押鍵の回動方向）に回動させるだけでなく、ローリング方向Ｒおよびヨーイング方向Ｙに対して、変形が可能になっている。すなわち、接続部１８０は、鍵１００をフレーム５００に対して回動させるだけでなく、ローリング方向Ｒおよびヨーイング方向Ｙに対して、変形が可能になっている。接続部１８０は、上下方向には移動が規制される一方、鍵１００のローリング方向Ｒおよびヨーイング方向Ｙに対して自由度を有している。上述のように、ローリング方向Ｒの変形を組み合わせることによって、接続部１８０はスケール方向Ｓについても自由度を有しているともいえる。
【００４２】
鍵１００は、上述したように、製造誤差および経時変化によってヨーイング方向Ｙおよびローリング方向Ｒを含む変形を生じることがある。このとき、前端鍵ガイド１５１と側面鍵ガイド１５３との間については、これらのガイドによる規制によって、外観部ＰＶにおいては、できるだけ、鍵１００の変形による影響が視認されないようになっている。一方、外観部ＰＶにおいて変形の影響を抑えたために、非外観部ＮＶにおいてはその変形の影響を大きく受ける。これは、鍵１００が長いほど、より顕著に影響が出る。
【００４３】
例えば、第１の例として、鍵１００が徐々に捻れていくような変形（ローリング方向Ｒの変形）があった場合を想定する。この場合、上部鍵ガイド１５１ｕおよび下部鍵ガイド１５１ｄによって鍵１００の前端部分のローリング方向Ｒの向きが鉛直方向になるように規制されるため、鍵１００は奥側に行くほどローリング方向Ｒへの変形の影響が出る。また、第２の例として、鍵１００が徐々にスケール方向Ｓに曲がっていくような変形（ヨーイング方向Ｙの変形）があった場合を想定する。この場合、前端鍵ガイド１５１と側面鍵ガイド１５３とによって外観部ＰＶにおける鍵１００のスケール方向Ｓの位置が規制されるため、鍵１００は奥側に行くほどヨーイング方向Ｙへの変形の影響が出る。
【００４４】
いずれの場合も、鍵１００の変形の影響により、鍵１００の回動中心となる部分とフレーム５００との位置がずれてきてしまう。すなわち、鍵１００に接続された接続部１８０とフレーム側支持部５８５との位置関係がずれてくる。
【００４５】
一方、第１実施形態における鍵１００であれば、板状可撓性部材１８１と棒状可撓性部材１８５とは可撓性によって変形することができ、鍵１００とフレーム側支持部５８５との位置のずれによる影響を、接続部１８０（板状可撓性部材１８１および棒状可撓性部材１８５）の変形によって抑制することができる。このときには、棒状可撓性部材１８５は、押鍵という強い力に対して上下方向の変位がほとんど生じない（回動中心の上下方向の移動がほとんど生じない）ようにしつつ鍵１００の前後方向に曲げ変形が可能であることによって鍵１００をピッチ方向に回動させる部材としての機能を有するだけでなく、さらに、鍵１００の変形による影響を吸収する部材としての機能も有している。
【００４６】
また、上述したように、外観部ＰＶにおいては、できるだけ、鍵１００の変形による影響が視認されないようになっていることから、スケール方向Ｓの位置精度も高くなっている。そのため、センサ３００に検出されるハンマアセンブリ２００の前端部２１０と、その前端部２１０に接続される鍵１００のハンマ支持部１２０とは、このような、外観部ＰＶ（鍵本体部の後端より前方）の鍵１００の下方に設けられることが望ましい。
【００４７】
［白鍵と黒鍵との比較］
図８は、第１実施形態における黒鍵の構造を白鍵の構造と比較して説明する図である。図８（Ａ）は、黒鍵を示している。図８（Ｂ）は、白鍵を示している。図８（Ａ）、（Ｂ）において、白鍵１００ｗと黒鍵１００ｂとの前後方向の位置は、関連付けて示している。白鍵１００ｗと黒鍵１００ｂとは以下の点で異なっている。板状可撓性部材１８１ｂは、板状可撓性部材１８１ｗよりも長い。この例では、この違いによって、鍵の回動中心の位置を異ならせているが、これ以外の方法で鍵の回動中心の位置を異ならせてもよい。例えば、板状可撓性部材１８１ｗと板状可撓性部材１８１ｗとが同じ長さとする一方、黒鍵１００ｂの長さを長くしてもよい。
【００４８】
白鍵１００ｗでは、前端鍵ガイド１５１ｗがハンマ支持部１２０ｗとは、鍵前後方向に対して別の場所において配置されている。一方、黒鍵１００ｂでは、前端鍵ガイド１５１ｂとハンマ支持部１２０ｂとは、鍵前後方向においてほぼ同じ場所において配置されている。すなわち、黒鍵１００ｂにおいては、ハンマ支持部１２０ｂが黒鍵１００ｂの前端部分に配置されている。言い換えれば、白鍵１００ｗのハンマ支持部１２０ｗは、黒鍵１００ｂのハンマ支持部１２０ｂの位置に合わせて配置されている。
【００４９】
［鍵盤アセンブリの動作］
図９は、第１実施形態における鍵（白鍵）を押下したときの鍵アセンブリの動作を説明する図である。図９（Ａ）は、鍵１００がレスト位置（押鍵していない状態）にある場合の図である。図９（Ｂ）は、鍵１００がエンド位置（最後まで押鍵した状態）にある場合の図である。鍵１００が押下されると、棒状可撓性部材１８５が回動中心となって曲がる。このとき、棒状可撓性部材１８５は、鍵の前方（手前方向）への曲げ変形が生じているが、側面鍵ガイド１５３による前後方向の移動の規制によって、鍵１００は前方に移動するのではなくピッチ方向に回動するようになる。そして、ハンマ支持部１２０が前端部２１０を押し下げることで、ハンマアセンブリ２００が回動軸５２０を中心に回動する。錘部２３０が上側ストッパ４３０に衝突することによって、ハンマアセンブリ２００の回動が止まり、鍵１００がエンド位置に達する。また、センサ３００が前端部２１０によって押しつぶされると、センサ３００は、押しつぶされた量（押鍵量）に応じた複数の段階で、検出信号を出力する。
【００５０】
一方、離鍵すると、錘部２３０が下方に移動して、ハンマアセンブリ２００が回動し、鍵１００が上方に回動する。錘部２３０が下側ストッパ４１０に接触することで、ハンマアセンブリ２００の回動が止まり、鍵１００がレスト位置に戻る。
【００５１】
第１実施形態における鍵盤装置１は、上述の通り、接続部１８０において押鍵および離鍵による鍵１００を回動可能に接続している。そして、鍵盤装置１は、前端鍵ガイド１５１および側面鍵ガイド１５３による移動の規制と、接続部１８０の変形とによって、鍵１００の製造誤差および経時変化による変形による外観部ＰＶへの影響を少なくすることができる。
【００５２】
［フレーム側支持部における音経路］
上記の通り押鍵に応じて生成される音波形信号は、フレーム５００の奥側、すなわちフレーム側支持部５８５ｂ（突出領域）に対して鍵１００とは反対側に配置されたスピーカ８０から出力される。このようにして出力される音が、フレーム側支持部５８５を通過して、鍵１００の下方側の空間に到達する経路について、図１０を用いて説明する。
【００５３】
図１０は、第１実施形態におけるフレーム側支持部の構造と音の経路との関係を模式的に説明する図である。図１０（Ａ）は、フレーム側支持部５８５を上方から見た場合の模式図である。図１０（Ｂ）は、フレーム側支持部５８５を奥側から見た場合の模式図である。すなわち、図１０（Ｂ）は、図１０（Ａ）に示す矢印ＡＲ１０に沿って見た場合のフレーム側支持部５８５の模式図である。図１０（Ａ）（Ｂ）に示す破線の矢印が、スピーカ８０からの音の経路に対応する。
【００５４】
図１０（Ａ）に示すように、フレーム５００は、後端側において、鍵１００の前後方向ＫＢに沿って突出するフレーム側支持部５８５ｂ（突出領域）が配置されている。棒状可撓性部材１８５ｂは、フレーム側支持部５８５ｂに接続されている。棒状可撓性部材１８５ｗは、フレーム側支持部５８５ｗに接続されている。フレーム５００の後端側に配置されたスピーカ８０からの音は、音通路ＡＰ１、ＡＰ２に対応する空間を通過する。
【００５５】
また、図３に示すように、スピーカ８０は、フレーム側支持部５８５に対して下方に配置されている。そのため、図１０（Ｂ）に示すように、スピーカ８０からの音は、隣接するフレーム側支持部５８５ｂの間を下方から通過して音通路ＡＰ１に対応する空間と通過し、また、フレーム側支持部５８５ｂの上方側かつ棒状可撓性部材１８５ｂの鍵１００前方側に回り込みつつ音通路ＡＰ２に対応する空間を通過する。
【００５６】
このように、本実施形態における鍵盤装置１においては、フレーム側支持部５８５ｂがフレーム５００の後端側において突出して形成されることにより、スピーカ８０からの音が、鍵１００の下方側の空間に到達するための経路を形成することができる。
【００５７】
＜第２実施形態＞
第２実施形態では、第１実施形態におけるフレーム側支持部５８５ｂの突出方向が異なっている例について説明する。
【００５８】
図１１は、第２実施形態におけるフレーム側支持部の構造と音の経路との関係を模式的に説明する図である。図１１に示すフレーム５００Ａにおいては、突出領域となるフレーム側支持部５８５ｂＡは、鍵１００の前後方向ＫＢに対して斜め方向に突出している。この例で示すように、突出領域の途中、すなわち、棒状可撓性部材１８５ｂが接続される部分よりも鍵１００の前方において、フレーム側支持部５８５ｗＡが存在する形状であってもよい。このような形状であっても、突出方向が、鍵１００の前後方向ＫＢの成分を有していれば、第１実施形態と同様に、スピーカ８０からの音が、鍵１００の下方側の空間に到達するための経路を形成することができる。
【００５９】
＜第３実施形態＞
第３実施形態では、第１実施形態とは接続部の構成が異なっている。第３実施形態では、軸部材と軸受部材とを用いることによって鍵１００を回動させる。
【００６０】
図１２は、第３実施形態におけるフレーム側支持部の構造と音の経路との関係を模式的に説明する図である。図１３は、第３実施形態における接続部の構造を説明する図である。この例では、第１実施形態において棒状可撓性部材１８５ｗ、１８５ｂが配置されていた部分において、図１２に示すように、軸支持部１８８ｗ、１８８ｂが配置されている。軸支持部１８８は、図１３に示すように、フレーム側支持部５８５から上方に延在する支持部材１８８１、および支持部材１８８１に支持される軸部材１８８３を有する。支持部材１８８１は、柱状部材の一例である。また、鍵１００と接続される鍵接続部材１８２１は、軸受部材１８２３が接続されている。軸受部材１８２３は、軸部材１８８３と摺動可能に接続されている。これによって、鍵接続部材１８２１に接続された鍵１００は、フレーム側支持部５８５に対して回動可能となる。なお、軸部材１８８３と軸受部材１８２３との関係は逆であってもよい。すなわち、軸部材１８８３が鍵１００側に接続され、軸受部材１８２３が支持部材１８８１に支持されていてもよい。
【００６１】
接続部１８０Ｂは、上述の鍵接続部材１８２１、軸受部材１８２３、および軸支持部１８８（支持部材１８８１、軸部材１８８３）によって、鍵１００とフレーム５００とを回動可能に接続する。以上のように、音通路ＡＰ１、ＡＰ２の位置を規定する部材は棒状可撓性部材１８５に限られず、柱状部材であればよい。すなわち、棒状可撓性部材１８５ｂと１８５ｗとの間が塞がれていないことにより音通路ＡＰ１、ＡＰ２が形成されるのと同様に、軸支持部１８８ｂと１８８ｗとの間（支持部材１８８１ｂと１８８１ｗとの間）が塞がれていなければよい。すなわち、白鍵１００ｗに対応する柱状部材と、黒鍵１００ｂに対応する柱状部材とのうち、隣接するものの間が塞がれずに、空間（音通路）を形成していればよい。これによって、スピーカ８０からの音の経路に関して、第１実施形態と同様の効果が得られる。
【００６２】
＜第４実施形態＞
第４実施形態では、第１実施形態および第３実施形態とは接続部の構成が異なっている。第４実施形態では、板状可撓性部材１８９を用いることによって鍵１００を回動させる。
【００６３】
図１４は、第４実施形態におけるフレーム側支持部の構造と音の経路との関係を模式的に説明する図である。図１５は、第４実施形態における接続部の構造を説明する図である。この例では、第１実施形態において棒状可撓性部材１８５ｗ、１８５ｂが配置されていた部分において、図１４に示すように、板状可撓性部材１８９ｗ、１８９ｂが配置されている。板状可撓性部材１８９は、図１５に示すように、フレーム側支持部５８５から上方に延在する板状の可撓性部材であって、柱状部材の一例である。板の法線方向は鍵１００の前後方向に対応する。鍵接続部材１８４は、鍵１００と板状可撓性部材１８９とを接続する部材である。板状可撓性部材１８９が前後方向に曲げ変形をすることによって、鍵１００は、フレーム側支持部５８５に対して回動可能となる。
【００６４】
接続部１８０Ｃは、上述の板状可撓性部材１８９および鍵接続部材１８４によって、鍵１００とフレーム５００とを回動可能に接続する。以上のように、音通路ＡＰ１、ＡＰ２の位置を規定する部材は棒状可撓性部材１８５に限られず、柱状部材であればよい。すなわち、棒状可撓性部材１８５ｂと１８５ｗとの間が塞がれていないことにより音通路ＡＰ１、ＡＰ２が形成されるのと同様に、板状可撓性部材１８９ｂと１８９ｗとの間が塞がれていなければよい。すなわち、白鍵１００ｗに対応する柱状部材と、黒鍵１００ｂに対応する柱状部材とのうち、隣接するものの間が塞がれずに、空間（音通路）を形成していればよい。これによって、スピーカ８０からの音の経路に関して、第１実施形態と同様の効果が得られる。
【００６５】
＜変形例＞
（１）上述した接続部１８０においては、板状可撓性部材１８１および棒状可撓性部材１８５の２種類の可撓性部材を含んでいたが、板状可撓性部材１８１が存在しなくてもよい。
【００６６】
（２）鍵１００は樹脂の構造体であるが、鍵１００のうち外観部ＰＶの部分（鍵本体部）において側面に木製部材を貼りつけることで、視覚的な印象をよくしてもよい。この場合には、側面鍵ガイド１５３は、木製部材が貼りつけられた領域以外、すなわち樹脂部材が露出している領域に設けることが好ましい。すなわち、側面フレームガイド５１３は、樹脂部材の領域に接触することになる。
【００６７】
（３）鍵１００の前後方向の移動の規制は、側面鍵ガイド１５３によって実現していたが、その他のガイドによって実現されてもよい。
【符号の説明】
【００６８】
１…鍵盤装置、１０，１０Ａ…鍵盤アセンブリ、７０…音源装置、８０…スピーカ、９０…筐体、１００…鍵、１００ｗ…白鍵、１００ｂ…黒鍵、１２０，１２０ｗ，１２０ｂ…ハンマ支持部、１５１，１５１ｗ，１５１ｂ…前端鍵ガイド、１５１ｕ…上部鍵ガイド、１５１ｄ…下部鍵ガイド、１５３，１５３ｗ，１５３ｂ…側面鍵ガイド、１５３１，１５３３…突出部、１５３５…溝、１８０，１８０Ｂ，１８０Ｃ…接続部、１８１，１８１ｗ，１８１ｂ…板状可撓性部材、１８２１…鍵接続部材、１８２３…軸受部材、１８３，１８３ｗ，１８３ｂ…鍵側支持部、１８４…鍵接続部材、１８５，１８５ｗ，１８５ｂ…棒状可撓性部材、１８８，１８８ｗ，１８８ｂ…軸支持部、１８８１…支持部材、１８８３…軸部材、１８９，１８９ｗ，１８９ｂ…板状可撓性部材、２００…ハンマアセンブリ、２１０…前端部、２２０…軸支持部、２３０…錘部、３００…センサ、４１０…下側ストッパ、４３０…上側ストッパ、５００，５００Ａ…フレーム、５１１…前端フレームガイド、５１３…側面フレームガイド、５２０…回動軸、５８５，５８５ｗ，５８５ｂ，５８５ｗＡ，５８５ｂＡ…フレーム側支持部、５８６…開口部、５９０…支柱、７１０…信号変換部、７３０…音源部、７５０…出力部
【図１】
0006668870.tif 000002
【図２】
0006668870.tif 000003
【図３】
0006668870.tif 000004
【図４】
0006668870.tif 000005
【図５】
0006668870.tif 000006
【図６】
0006668870.tif 000007
【図７】
0006668870.tif 000008
【図８】
0006668870.tif 000009
【図９】
0006668870.tif 000010
【図１０】
0006668870.tif 000011
【図１１】
0006668870.tif 000012
【図１２】
0006668870.tif 000013
【図１３】
0006668870.tif 000014
【図１４】
0006668870.tif 000015
【図１５】
0006668870.tif 000016